(57)【要約】【課題】より容易に照明部を点灯することができる。【解決手段】表示部１０８は文字や記号を表示する。照明部１０９は表示部１０８を照明する。ＣＰＵ１０１は動作モードを設定する。入力部１０４は照明部１０９の点灯の指示入力を受け付ける。また、入力部１０４は点灯の指示入力以外の入力を受け付ける。また、ＣＰＵ１０１は、入力部１０４が受け付けた点灯の指示入力に基づいて照明部１０９の点灯および消灯を制御する。また、ＣＰＵ１０１は、設定した動作モードが所定のモードのときに入力部１０４が入力を受け付けた場合、照明部１０９を点灯させる。【選択図】図１
2013170820.tif 000002
【特許請求の範囲】
【請求項１】
文字や記号を表示する表示部と、
前記表示部を照明する照明部と、
動作モードを設定する動作モード設定部と、
前記照明部の点灯の指示入力を受け付ける点灯スイッチと、
前記点灯の指示入力以外の入力を受け付ける入力スイッチと、
前記点灯スイッチが受け付けた前記点灯の指示入力に基づいて前記照明部の点灯および消灯を制御する制御部と、
を備え、
前記制御部は、前記動作モード設定部が設定した前記動作モードが所定のモードのときに前記入力スイッチが入力を受け付けた場合、前記照明部を点灯させる
ことを特徴とする電子時計。
【請求項２】
時間の計測を開始する指示および終了する指示の入力を受け付ける計測スイッチと、
前記計測スイッチが受け付けた指示に基づいて時間を計測する時間計測部と、
を備え、
前記制御部は、前記動作モード設定部が設定した前記動作モードが前記所定のモードのときに前記計測スイッチが入力を受け付けた場合、前記照明部を点灯させる
ことを特徴とする請求項１に記載の電子時計。
【請求項３】
前記制御部は、前記動作モード設定部が設定した前記動作モードが前記所定のモードのときに前記入力スイッチが前記点灯の指示入力以外の前記入力を受け付けた場合、当該入力を無効にし、前記照明部を点灯させる
ことを特徴とする請求項１または請求項２に記載の電子時計。
【請求項４】
前記入力スイッチは押下されることで入力を受け付け、
前記制御部は、前記動作モード設定部が設定した前記動作モードが前記所定のモードのときに前記入力スイッチが押下された時間が所定時間未満である場合には前記入力を無効にし、前記動作モード設定部が設定した前記動作モードが前記所定のモードのときに前記入力スイッチが押下された時間が所定時間以上である場合には前記入力を有効にする
ことを特徴とする請求項１または請求項２に記載の電子時計。
【発明の詳細な説明】
【技術分野】
【０００１】
本発明は、電子時計に関する。
【背景技術】
【０００２】
従来より、ランニングなどを行う際に経過時間やラップ時間の取得を行うことができる電子時計が知られている。夜間にランニングなどを行う場合、経過時間や、ラップ取得時のデータ確認や、現在時刻の確認などのために、ライト（バックライト）の点灯が不可欠となる。しかし、走っている途中で表示を確認する場合、ライトボタンを押すことになるが、特定のスイッチを押す行為が不便である。これを解決する方法として、夜間の時間帯にクロノが動作した場合、ラップ操作を行うとライトを自動点灯させる技術が知られている（例えば、特許文献１参照）。
【先行技術文献】
【特許文献】
【０００３】
【特許文献１】特開平４−３１５０９１号公報
【発明の概要】
【発明が解決しようとする課題】
【０００４】
しかしながら、特許文献１に記載の技術では、ラップ操作をした場合はライトが自動点灯するため表示を確認することができるが、現在時刻などを確認したい場合はライト点灯ボタンを押さなくてはならないという問題がある。また、走っている途中なので、間違って違うボタンを押してしまう場合があるという問題がある。
【０００５】
そこで本発明は、上述の事情を鑑みてなされたものであり、より容易に照明部を点灯することができる電子時計を提供することを目的とする。
【課題を解決するための手段】
【０００６】
本発明は、文字や記号を表示する表示部と、前記表示部を照明する照明部と、動作モードを設定する動作モード設定部と、前記照明部の点灯の指示入力を受け付ける点灯スイッチと、前記点灯の指示入力以外の入力を受け付ける入力スイッチと、前記点灯スイッチが受け付けた前記点灯の指示入力に基づいて前記照明部の点灯および消灯を制御する制御部と、を備え、前記制御部は、前記動作モード設定部が設定した前記動作モードが所定のモードのときに前記入力スイッチが入力を受け付けた場合、前記照明部を点灯させることを特徴とする電子時計である。
【０００７】
また、本発明は、時間の計測を開始する指示および終了する指示の入力を受け付ける計測スイッチと、前記計測スイッチが受け付けた指示に基づいて時間を計測する時間計測部と、を備え、前記制御部は、前記動作モード設定部が設定した前記動作モードが前記所定のモードのときに前記計測スイッチが入力を受け付けた場合、前記照明部を点灯させることを特徴とする電子時計である。
【０００８】
また、本発明の電子時計において、前記制御部は、前記動作モード設定部が設定した前記動作モードが前記所定のモードのときに前記入力スイッチが前記点灯の指示入力以外の前記入力を受け付けた場合、当該入力を無効にし、前記照明部を点灯させることを特徴とする。
【０００９】
また、本発明の電子時計において、前記入力スイッチは押下されることで入力を受け付け、前記制御部は、前記動作モード設定部が設定した前記動作モードが前記所定のモードのときに前記入力スイッチが押下された時間が所定時間未満である場合には前記入力を無効にし、前記動作モード設定部が設定した前記動作モードが前記所定のモードのときに前記入力スイッチが押下された時間が所定時間以上である場合には前記入力を有効にすることを特徴とする。
【発明の効果】
【００１０】
本発明によれば、表示部は文字や記号を表示する。照明部は表示部を照明する。動作モード設定部は、動作モードを設定する。点灯スイッチは、照明部の点灯の指示入力を受け付ける。入力スイッチは、点灯の指示入力以外の入力を受け付ける。制御部は、点灯スイッチが受け付けた点灯の指示入力に基づいて照明部の点灯および消灯を制御する。また、制御部は、動作モード設定部が設定した動作モードが所定のモードのときに入力スイッチが入力を受け付けた場合、照明部を点灯させる。これにより、電子時計は、動作モードが所定のモードのときには、点灯スイッチが点灯の指示入力を受け付けた場合だけではなく、入力スイッチが入力を受け付けた場合においても照明部を点灯する。従って、より容易に照明部を点灯することができる。
【図面の簡単な説明】
【００１１】
【図１】本発明の一実施形態における電子時計の構成を示したブロック図である。
【図２】本実施形態における電子時計の外観を示した外観図である。
【図３】本実施形態における動作モードの切り替え順を示した概略図である。
【図４】本実施形態において、ラップスイッチが入力を受け付けた場合における電子時計の動作手順を示したフローチャートである。
【図５】本実施形態において、スタート／ストップスイッチが入力を受け付けた場合における電子時計の動作手順を示したフローチャートである。
【図６】本実施形態において、モードスイッチが入力を受け付けた場合における電子時計の動作手順を示したフローチャートである。
【図７】本実施形態において、表示切り替えスイッチが入力を受け付けた場合における電子時計の動作手順を示したフローチャートである。
【発明を実施するための形態】
【００１２】
以下、本発明の一実施形態について、図面を参照しながら説明する。図１は、本実施形態における電子時計の構成を示したブロック図である。図示する例では、電子時計１００は、ＣＰＵ１０１（中央処理装置、制御部、動作モード設定部、時間計測部）と、発振回路１０２と、分周回路１０３と、入力部１０４（点灯スイッチ、入力スイッチ、計測スイッチ）と、ＲＯＭ（Ｒｅａｄ  Ｏｎｌｙ  Ｍｅｍｏｒｙ、読み出し専用メモリ）１０５と、ＲＡＭ（Ｒａｎｄｏｍ  Ａｃｃｅｓｓ  Ｍｅｍｏｒｙ、ランダムアクセスメモリ）１０６と、電池１０７と、表示部１０８と、照明部１０９とを備える。
【００１３】
ＣＰＵ１０１は、電子時計１００が備える各部の制御を行う。また、ＣＰＵ１０１は制御部として動作し、照明部１０９の点灯および消灯を制御する。また、ＣＰＵ１０１は動作モード設定部として動作し、電子時計１００が動作する動作モードを選択する。動作モードについては後述する。また、ＣＰＵ１０１は時間計測部として動作し、時間を計測する。
【００１４】
発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。入力部１０４が備えるスイッチについては後述する。
【００１５】
ＲＯＭ１０５は、ＣＰＵ１０１が実行するプログラムを予め記憶している。ＲＡＭ１０６は、電子時計１００が備える各部が用いるデータを記憶する。電池１０７は、リチウム電池などであり、電子時計１００が備える各部に電力を供給する。表示部１０８は、例えば液晶ディスプレイであり、文字や記号などを表示する。照明部１０９は、例えばＬＥＤ（Ｌｉｇｈｔ  Ｅｍｉｔｔｉｎｇ  Ｄｉｏｄｅ、発光ダイオード）であり、発光することで表示部１０８を照明する。
【００１６】
次に、電子時計１００の入力部１０４が備えるスイッチについて説明する。本実施形態では、入力部１０４は、スタート／ストップスイッチ１０４１（計測スイッチ）と、点灯スイッチ１０４２と、表示切り替えスイッチ１０４３（入力スイッチ）と、モードスイッチ１０４４（入力スイッチ）と、ラップスイッチ１０４５（計測スイッチ）とを備えている。スタート／ストップスイッチ１０４１はクロノグラフの開始および終了の指示入力を受け付ける。点灯スイッチ１０４２は、照明部１０９の点灯の指示入力を受け付ける。表示切り替えスイッチ１０４３は、表示部１０８に表示させる内容を切り替える指示入力を受け付ける。モードスイッチ１０４４は、動作モードを切り替える指示入力を受け付ける。ラップスイッチ１０４５は、ラップタイムの取得指示入力を受け付ける。
【００１７】
図２は、本実施形態における電子時計１００の外観を示した外観図である。図示する例では、電子時計１００は、上面に表示部１０８を備えている。また、右側面の上側に入力部１０４のスタート／ストップスイッチ１０４１を備えている。また、右側面の下側に入力部１０４の点灯スイッチ１０４２を備えている。また、左側面の上側に入力部１０４の表示切り替えスイッチ１０４３を備えている。また、左側面の下側にモードスイッチ１０４４を備えている。また、表示部１０８の下側にラップスイッチ１０４５を備えている。
【００１８】
次に、電子時計１００が動作する動作モードについて説明する。本実施形態では、電子時計１００は、時刻表示モードと、クロノグラフ計測モードと、データ表示モードと、タイマ計測モードと、アラーム設定モードとのいずれかの動作モードで動作する。
【００１９】
時刻表示モードは、表示部１０８に時刻を表示する動作モードである。クロノグラフ計測モードは、時間を計測し、計測時間を表示部１０８に表示する動作モードである。データ表示モードは、過去に計測した時間を表示部１０８に表示する動作モードである。タイマ計測モードは、タイマ計測を行い、経過時間を表示部１０８に表示する動作モードである。アラーム設定モードは、アラーム開始時刻を設定し、設定したアラーム開始時刻を表示部１０８に表示する動作モードである。本実施形態では、モードスイッチ１０４４が動作モードを切り替える指示入力を受け付けた場合、動作モード設定部として動作するＣＰＵ１０１は、動作モードを設定する。
【００２０】
また、電子時計１００は、クロノグラフ計測モードとして、通常時の動作モードである通常モードと、夜間時にランニングを行う際に用いる動作モードである夜間ランニングモードとを有する。夜間ランニングモードは、通常モードと比較して、操作者が照明部１０９の点灯の指示入力を容易に入力することができる動作モードである。
【００２１】
図３は、本実施形態における動作モードの切り替え順を示した概略図である。図示する例では、動作モード設定部として動作するＣＰＵ１０１は、モードスイッチ１０４４が動作モードを切り替える指示入力を受け付ける度に、「時刻表示モード」と、「通常モード・クロノグラフ計測モード」と、「夜間ランニングモード・クロノグラフ計測モード」と、「データ表示モード」と、「タイマ計測モード」と、「アラーム設定モード」との順に動作モードを切り換えて設定する。
【００２２】
例えば、電子時計１００が「時刻表示モード」で動作しているときにモードスイッチ１０４４が動作モードを切り替える指示入力を受け付けた場合、動作モード設定部として動作するＣＰＵ１０１は、動作モードを「通常モード・クロノグラフ計測モード」に切り替える。また、電子時計１００が「通常モード・クロノグラフ計測モード」で動作しているときにモードスイッチ１０４４が動作モードを切り替える指示入力を受け付けた場合、動作モード設定部として動作するＣＰＵ１０１は、動作モードを「夜間ランニングモード・クロノグラフ計測モード」に切り替える。他の動作モードで動作しているときにモードスイッチ１０４４が動作モードを切り替える指示入力を受け付けた場合においても、動作モード設定部として動作するＣＰＵ１０１は、図示するように動作モードを切り替える。
【００２３】
次に、入力部１０４が備える各スイッチ１０４１〜１０４５が入力を受け付けた場合における電子時計１００の動作について説明する。なお、点灯スイッチ１０４２が照明部１０９の点灯の指示入力を受け付けた場合、電子時計１００がどの動作モードで動作していてもＣＰＵ１０１は照明部１０９を点灯させる。
【００２４】
図４は、本実施形態において、ラップスイッチ１０４５が入力を受け付けた場合における電子時計１００の動作手順を示したフローチャートである。
【００２５】
（ステップＳ１０１）ＣＰＵ１０１は、動作モードが「クロノグラフ計測モード」（所定のモード）であるか否かを判定する。動作モードが「クロノグラフ計測モード」であるとＣＰＵ１０１が判定した場合にはステップＳ１０２の処理に進み、それ以外の場合には処理を終了する。
（ステップＳ１０２）ＣＰＵ１０１は、ラップデータを取得する。その後、ステップＳ１０３の処理に進む。
【００２６】
（ステップＳ１０３）ＣＰＵ１０１は、ステップＳ１０２の処理で取得したラップデータを表示部１０８に表示させる。その後、ステップＳ１０４の処理に進む
（ステップＳ１０４）ＣＰＵ１０１は、動作モードが「夜間ランニングモード」（所定のモード）であるか否かを判定する。動作モードが「夜間ランニングモード」であるとＣＰＵ１０１が判定した場合にはステップＳ１０５の処理に進み、それ以外の場合には処理を終了する。
（ステップＳ１０５）ＣＰＵ１０１は照明部１０９を点灯させる。その後、処理を終了する。
【００２７】
上述した処理を行うことで、電子時計１００は、夜間ランニングモードで動作している場合、ラップスイッチ１０４５が入力された場合においても照明部１０９を点灯させることができる。
【００２８】
図５は、本実施形態において、スタート／ストップスイッチ１０４１が入力を受け付けた場合における電子時計１００の動作手順を示したフローチャートである。
【００２９】
（ステップＳ２０１）ＣＰＵ１０１は、動作モードが「クロノグラフ計測モード」（所定のモード）であるか否かを判定する。動作モードが「クロノグラフ計測モード」であるとＣＰＵ１０１が判定した場合にはステップＳ２０２の処理に進み、それ以外の場合には処理を終了する。
（ステップＳ２０２）ＣＰＵ１０１は、時間計測を行っている場合には時間計測を終了し、時間計測を行っていない場合には時間計測を開始する。その後、ステップＳ２０３の処理に進む。
【００３０】
（ステップＳ２０３）ＣＰＵ１０１は、時間計測データを表示部１０８に表示させる。その後、ステップＳ２０４の処理に進む
（ステップＳ２０４）ＣＰＵ１０１は、動作モードが「夜間ランニングモード」（所定のモード）であるか否かを判定する。動作モードが「夜間ランニングモード」であるとＣＰＵ１０１が判定した場合にはステップＳ２０５の処理に進み、それ以外の場合には処理を終了する。
（ステップＳ２０５）ＣＰＵ１０１は照明部１０９を点灯させる。その後、処理を終了する。
【００３１】
上述した処理を行うことで、電子時計１００は、夜間ランニングモードで動作している場合、スタート／ストップスイッチ１０４１が入力された場合においても照明部１０９を点灯させることができる。
【００３２】
図６は、本実施形態において、モードスイッチ１０４４が入力を受け付けた場合における電子時計１００の動作手順を示したフローチャートである。
【００３３】
（ステップＳ３０１）ＣＰＵ１０１は、動作モードが「クロノグラフ計測モード」（所定のモード）であるか否かを判定する。動作モードが「クロノグラフ計測モード」であるとＣＰＵ１０１が判定した場合にはステップＳ３０２の処理に進み、それ以外の場合にはステップＳ３０５の処理に進む。
（ステップＳ３０２）ＣＰＵ１０１は、動作モードが「夜間ランニングモード」（所定のモード）であるか否かを判定する。動作モードが「夜間ランニングモード」であるとＣＰＵ１０１が判定した場合にはステップＳ３０３の処理に進み、それ以外の場合にはステップＳ３０５の処理に進む。
【００３４】
（ステップＳ３０３）ＣＰＵ１０１は照明部１０９を点灯させる。その後、ステップＳ３０４の処理に進む。
（ステップＳ３０４）ＣＰＵ１０１は、モードスイッチ１０４４が１秒以上（所定時間以上）押下されているか否かを判定する。モードスイッチ１０４４は１秒以上押下されているとＣＰＵ１０１が判定した場合にはステップＳ３０５の処理に進み、それ以外の場合には処理を終了する。なお、所定時間は１秒以上に限らず、任意に設定できるようにしてもよい。
（ステップＳ３０５）ＣＰＵ１０１は、動作モードを変更する。その後、処理を終了する。なお、動作モードの変更方法は上述したとおりである。
【００３５】
上述した処理を行うことで、電子時計１００は、夜間ランニングモードで動作している場合、モードスイッチ１０４４が入力された場合においても照明部１０９を点灯させることができる。また、電子時計１００は、モードスイッチ１０４４が一定時間以上押下された場合にのみ、動作モードを切り替える指示入力を有効にすることができる。
【００３６】
図７は、本実施形態において、表示切り替えスイッチ１０４３が入力を受け付けた場合における電子時計１００の動作手順を示したフローチャートである。
【００３７】
（ステップＳ４０１）ＣＰＵ１０１は、動作モードが「クロノグラフ計測モード」（所定のモード）であるか否かを判定する。動作モードが「クロノグラフ計測モード」であるとＣＰＵ１０１が判定した場合にはステップＳ４０２の処理に進み、それ以外の場合にはステップＳ４０４の処理に進む。
（ステップＳ４０２）ＣＰＵ１０１は、動作モードが「夜間ランニングモード」（所定のモード）であるか否かを判定する。動作モードが「夜間ランニングモード」であるとＣＰＵ１０１が判定した場合にはステップＳ４０３の処理に進み、それ以外の場合にはステップＳ４０４の処理に進む。
【００３８】
（ステップＳ４０３）ＣＰＵ１０１は照明部１０９を点灯させる。その後、処理を終了する。
（ステップＳ４０４）ＣＰＵ１０１は、表示切り替えスイッチ１０４３が入力を受け付けた場合における処理を行う。その後、処理を終了する。
【００３９】
上述した処理を行うことで、電子時計１００は、夜間ランニングモードで動作している場合、表示切り替えスイッチ１０４３が入力された場合においても照明部１０９を点灯させることができる。また、夜間ランニングモードで動作している場合、表示切り替えスイッチ１０４３の表示切り替え指示入力を無効にすることができる。
【００４０】
上述した通り、本実施形態によれば、ＣＰＵ１０１は動作モード設定部として動作し、電子時計１００の動作モードを設定する。また、ＣＰＵ１０１は、制御部として動作し、動作モードが所定のモード（例えば、夜間ランニングモード）のときに入力部１０４が備える各スイッチ１０４１〜１０４５が入力を受け付けた場合、照明部１０９を点灯させる。すなわち、ＣＰＵ１０１は、動作モードが夜間ランニングモードのときには、点灯スイッチ１０４２が点灯の指示入力を受け付けた場合だけではなく、入力部１０４が備える各スイッチ１０４１〜１０４５が入力を受け付けた場合においても照明部１０９を点灯させる。従って、電子時計１００の操作者は、より容易に照明部１０９を点灯させることができる。例えば、操作者は、夜間にランニングを行っている場合、周囲が暗いためどのスイッチを押下すれば照明部１０９を点灯させることができるか分からなくても、いずれかのスイッチを押下することで照明部１０９を点灯させることができる。
【００４１】
また、本実施形態によれば、電子時計１００は、動作モードが所定のモード（例えば、夜間ランニングモードかつクロノグラフ計測モード）の場合、表示切り替えスイッチ１０４３の表示切り替え指示入力を無効にすることができる。これにより、操作者が間違えて表示切り替えスイッチ１０４３を押下した場合においても、表示切り替え指示入力を無効にすることができる。
【００４２】
また、本実施形態によれば、電子時計１００は、動作モードが所定のモード（例えば、夜間ランニングモードかつクロノグラフ計測モード）の場合、モードスイッチ１０４４が所定時間以上（例えば、１秒以上）押下された場合にのみ動作モードを切り替える指示入力を有効にすることができる。これにより、モードスイッチ１０４４を所定時間以上押下しなければ動作モードを切り替えることができないため、操作者が間違えてモードスイッチ１０４４を押下した場合においても、動作モードを切り替える指示入力を無効にすることができる。
【００４３】
なお、上述した実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４５】
以上、本発明の一実施形態について説明したが、本発明は、上記実施形態に限定されるものではなく、本発明の趣旨を逸脱しない範囲において種々の変更を加えることが可能である。
【００４６】
例えば、上述した例では、入力部１０４がスタート／ストップスイッチ１０４１と、点灯スイッチ１０４２と、表示切り替えスイッチ１０４３と、モードスイッチ１０４４と、ラップスイッチ１０４５とを備えている例を用いて説明したが、これに限らず、入力部１０４はどのようなスイッチを備えていてもよい。
【符号の説明】
【００４７】
１００・・・電子時計、１０１・・・ＣＰＵ、１０２・・・発振回路、１０３・・・分周回路、１０４・・・入力部、１０５・・・ＲＯＭ、１０６・・・ＲＡＭ、１０７・・・電池、１０８・・・表示部、１０９・・・照明部、１０４１・・・スタート／ストップスイッチ、１０４２・・・点灯スイッチ、１０４３・・・表示切り替えスイッチ、１０４４・・・モードスイッチ、１０４５・・・ラップスイッチ
【図１】
2013170820.tif 000003
【図２】
2013170820.tif 000004
【図３】
2013170820.tif 000005
【図４】
2013170820.tif 000006
【図５】
2013170820.tif 000007
【図６】
2013170820.tif 000008
【図７】
2013170820.tif 000009